(57)【要約】【課題】横方向への陰茎の取り出し及び横方向からの陰茎挿入を容易にする。【解決手段】尿を吸収する吸収面１１を有する面状の吸収本体部１０と、吸収面１１を覆う内面側シート２０と、吸収面１１と内面側シート２０との間に設けられた陰茎挿入空間Ｓと、この陰茎挿入空間Ｓに陰茎を挿入するための開口とを備え、内面側シート２０は、陰茎配置部位Ｘを斜めに横切り且つ吸収面１１に接合されていない上縁２１と、陰茎配置部位Ｘの左右両側および下側を囲み且つ吸収面１１に接合された下側周縁部２２と、これら上縁および下側周縁部に囲まれ且つ吸収面１１に接合されていない非接合部２３とを有しており、内面側シート上縁２１の上側には吸収面１１が露出され、内面側シート上縁２１と吸収面１１との間が、陰茎挿入空間Ｓに陰茎を挿入するための開口とされる。【選択図】図１
2008067896.tif 000002
【特許請求の範囲】
【請求項１】
尿を吸収する吸収面を有する面状の吸収本体部と、前記吸収面を覆う内面側シートと、前記吸収面と前記内面側シートとの間に設けられた陰茎挿入空間と、この陰茎挿入空間に陰茎を挿入するための開口とを備えた、男性用吸収性物品であって、
前記内面側シートは、陰茎配置部位を斜めに横切り且つ前記吸収面に接合されていない上縁と、陰茎配置部位の左右両側および下側を囲み且つ前記吸収面に接合された下側周縁部と、これら上縁および下側周縁部に囲まれ且つ前記吸収面に接合されていない非接合部とを有しており、
前記内面側シートの上縁の上側には前記吸収面が露出されており、
前記内面側シートの上縁と前記吸収面との間が、前記陰茎挿入空間に陰茎を挿入するための開口とされている、
ことを特徴とする男性用吸収パッド。
【請求項２】
前記上縁に沿って細長状弾性伸縮部材が伸張状態で固定されている、請求項１記載の男性用吸収パッド。
【請求項３】
前記陰茎配置部位は、前記吸収本体部における長手方向中間の部位であって且つ幅方向中間の部位であり、
前記内面側シートの上縁は、前記吸収本体部における幅方向中央の一方側の上縁から、他方側の側縁における長手方向中央の下側に至るように形成されている、請求項１または２記載の男性用吸収パッド。
【発明の詳細な説明】
【技術分野】
【０００１】
本発明は、男性用吸収パッドに関するものである。
【背景技術】
【０００２】
成人男性の尿漏れに対処するための吸収性物品として、男性用吸収パッドが提案され、市販されている。具体的には、尿を吸収する面状の吸収本体部の吸収面全体を内面側シートで覆い、内面側シートの所定部位に、吸収面と内面側シートとの間の陰茎挿入空間に通じる円形の陰茎挿入開口を形成したもの（特許文献１参照）や、吸収面の幅方向中央に対して一方側の部分および他方側の部分をそれぞれ別の内面側シートで被覆し、これら一対の内面側シート間のスリット状開口から吸収面と内面側シートとの間の陰茎挿入空間に陰茎を挿入するもの（特許文献２参照）が知られている。
かかる男性用吸収パッドはパンツの内面に貼り付けられて使用される。内面側シートは、陰茎を包み込み、尿を漏らさずに堰き止める機能を果たす。
【特許文献１】特表２００２−５０９４６２号公報
【特許文献２】特開２００５−１６８９６７号公報
【発明の開示】
【発明が解決しようとする課題】
【０００３】
ところで、男性用吸収パッドの装着者が、トイレでの排尿に際して、陰茎をパンツの前開き部やパンツの脚開口と脚付け根との隙間から取り出そうとした場合、ズボン内の狭いスペースで陰茎を男性用吸収パッドに対して横に移動させることになるが、従来の男性用吸収パッドの場合、内面側シートの陰茎挿入開口の縁が陰茎の横方向移動の障壁となるため、取り出しが容易ではなかった。また、陰茎挿入空間への挿入も容易ではなかった。
そこで、本発明の主たる課題は、横方向への陰茎の取り出し、及び横方向からの陰茎挿入を容易にすることにある。
【課題を解決するための手段】
【０００４】
上記課題を解決した本発明は次記のとおりである。
＜請求項１記載の発明＞
尿を吸収する吸収面を有する面状の吸収本体部と、前記吸収面を覆う内面側シートと、前記吸収面と前記内面側シートとの間に設けられた陰茎挿入空間と、この陰茎挿入空間に陰茎を挿入するための開口とを備えた、男性用吸収性物品であって、
前記内面側シートは、陰茎配置部位を斜めに横切り且つ前記吸収面に接合されていない上縁と、陰茎配置部位の左右両側および下側を囲み且つ前記吸収面に接合された下側周縁部と、これら上縁および下側周縁部に囲まれ且つ前記吸収面に接合されていない非接合部とを有しており、
前記内面側シートの上縁の上側には前記吸収面が露出されており、
前記内面側シートの上縁と前記吸収面との間が、前記陰茎挿入空間に陰茎を挿入するための開口とされている、
ことを特徴とする男性用吸収パッド。
【０００５】
（作用効果）
このように、内面側シートの上縁が陰茎配置部位を斜めに横切り、その上側に内面側シートが無く、内面側シート上縁と吸収面との間が陰茎挿入開口とされていると、陰茎配置部位の左右一方側における内面側シートの上縁が、他方側における内面側シートの上縁よりも下側に位置する。よって、内面側シートと吸収面との間の陰茎挿入空間に挿入されていた陰茎を空間外へ取り出す際、内面側シートの上縁のうち、より下側に位置する左右一方側の部位から横方向へ陰茎を取り出すことにより、陰茎が内面側シートに引掛り難く、取り出しが容易となる。
また、陰茎挿入時においても、内面側シートの上縁のうちより下側に位置する左右一方側の部位から吸収面との間に陰茎を滑り込ませることにより、陰茎を容易に陰茎挿入空間に挿入することができる。
なお、本発明における方向に関する用語のうち、上下に関するものは、基本的にパッドを下着に装着した状態における上下を意味する。よって、本項記載の発明における「上縁」とは、パッドを装着した状態における上縁を意味する。また、内面側シートの上縁が「陰茎配置部位を斜めに横切る」とは、上縁が陰茎配置部位の左右一方側から他方側に向かうにつれてより下側に位置することを意味する。
【０００６】
＜請求項２記載の発明＞
前記上縁に沿って細長状弾性伸縮部材が伸張状態で固定されている、請求項１記載の男性用吸収パッド。
【０００７】
（作用効果）
このように細長状弾性伸縮部材を設けると、その伸縮力によって内面側シートの上縁がその延在方向に沿って収縮するとともに、その収縮によって吸収本体部はその吸収面が窪むように舟形に変形し、内面側シートと吸収面との間が離間して陰茎挿入空間が形成される。よって、陰茎の出し入れがより容易になる。また、吸収本体部が陰茎を包み込む立体形状となり、陰茎に対するフィット性が向上するとともに、パッドの存在が衣類外面に現れ難くなる。
【０００８】
＜請求項３記載の発明＞
前記陰茎配置部位は、前記吸収本体部における長手方向中間の部位であって且つ幅方向中間の部位であり、
前記内面側シートの上縁は、前記吸収本体部における幅方向中央の一方側の上縁から、他方側の側縁における長手方向中央の下側に至るように形成されている、請求項１または２記載の男性用吸収パッド。
【０００９】
（作用効果）
本発明は、吸収本体部における陰茎配置部位や内面側シートの上縁の位置は適宜定めることができるが、特に本項記載のように形成されていると、簡素且つ効果的な構造となるため好ましい。
【発明の効果】
【００１０】
以上のとおり、本発明によれば、横方向への陰茎の取り出し、及び横方向からの陰茎挿入が容易になる等の利点がもたらされる。
【発明を実施するための最良の形態】
【００１１】
以下、本発明の一実施形態について添付図面を参照しながら詳説する。
図１は、本発明に係る男性用吸収パッドの例１を示し、図２はその２−２断面を示している。この吸収パッド１は、尿を吸収する吸収面を有する面状の吸収本体部１０と、吸収面を覆う内面側シート２０とを備えている。吸収本体部１０は、長方形を基本として吸収本体部１０下側（股間側）に対して右側が幅方向外側に膨出した形状をなしている。吸収本体部１０の形状は、これに限られず、面状である限り適宜の形状を採用することができ、例えば図４に示すように長方形状としたり、脚回りへのフィット性を考慮して、図５に示すように下側（股間側）ほど幅が狭くなる逆さ台形状としたりすることができる。図５の例は、形状以外は基本的に図４の例と同様である。さらに、図６に示すように、下着３０の前開き３１における外面側の開口縁３１Ｅに合わせて、幅方向内側に窪む凹部１９を形成することもできる。この場合、手や陰茎を、前開き３１を介して吸収パッド１の内面側に対して容易に出し入れできるようになる。図６の例は、凹部１９以外は基本的に図５の例と同様である。吸収本体部１０の寸法は適宜定めることができ、例えば長さは１８０〜２５０ｍｍ、幅は８０〜１６０ｍｍ程度とすることができる。
【００１２】
吸収本体部１０の構造は、図２に示されるように、肌側に位置する液透過性トップシート１１と、外面側に位置する液不透過性シート１４と、これらの間に介在された吸収体１３とを有している。トップシート１１及び液不透過性シート１４は周縁部１０Ｅにおいて相互にホットメルト接着剤やヒートシール、超音波シール等により接合され、この接合部分で囲まれる空間に吸収体１３が収容されている。
【００１３】
さらに図示形態では、トップシート１１と吸収体１３との間に中間シート１２が介在され、液不透過性シート１４の外面には、製品外面をなす外装シート１５が貼り付けられており、また、外装シート１５の外面には製品をパンツに固定するための粘着材層１６が設けられ、この粘着材層１６を覆うように剥離シート１７が貼り付けられている。これらの部品のうち、中間シート１２、外装シート１５、粘着材層１６、剥離シート１７は必要に応じて省略することができる。
【００１４】
これら部品の素材としては、公知のものを適宜用いることができる。例えば、液透過性トップシート１１としては、目付け１７〜２１ｇ／ｍ2程度の各種不織布の他、多数の孔を有する孔開きフィルム等を用いることができ、液不透過性シート１４としては、ポリエチレンフィルム等からなる非通気性フィルムまたは通気性多孔質フィルムを用いることができる。また、吸収体１３としては、パルプ繊維の積繊体、セルロースアセテート等のフィラメントの集合体、あるいは不織布を基本とし、必要に応じて高吸収性ポリマーを混合、固着等してなるものを用いることができる。中間シート１２は、吸収液を速やかに吸収体１３へ移行させる機能および吸収体１３からの逆戻りを防止する機能を有するものであり、その素材としては、目付け１７〜４０ｇ／ｍ2程度の各種不織布、特にエアスルー不織布及びスパンボンド不織布を好適に用いることができる。外装シート１５は、製品外面の肌触りや摩擦音を軽減する機能を有するものであり、その素材としては、目付け１５〜１７ｇ／ｍ2程度の各種不織布、特に強度および柔軟性の両立の観点から、ＳＭＳ不織布やＳＭＭＳ不織布等の積層不織布を好適に用いることができる。
【００１５】
吸収本体部１０のトップシート１１の表面（吸収面）には、陰茎配置部位Ｘを斜めに横切り且つトップシート１１表面に接合されていない上縁２１と、陰茎配置部位Ｘの左右両側および下側を囲み且つトップシート１１表面にホットメルト接着等により接合された下側周縁部２２と、これら上縁２１および下側周縁部２２に囲まれ且つトップシート１１表面に接合されていない非接合部分（すなわち自由部分）２３とを有する内面側シート２０が設けられる。
【００１６】
より詳細には、本例における陰茎配置部位Ｘは、吸収本体部１０における長手方向中間の部位であって且つ幅方向中間の部位であるが、この部位は適宜設計変更できるものである。内面側シート２０の上縁２１は、吸収本体部１０における幅方向中央の一方側（図１の例ではトップシート１１表面に向って右側）の上縁１０ｕから、他方側（図１の例ではトップシート１１表面に向って左側）の側縁１０ｓにおける長手方向中央の下側まで直線状に延びている。内面側シート２０の上縁２１より下側の部分はトップシートの両側縁および下縁までそれぞれ延在され、ハッチングを付した下側周縁部２２がトップシート１１の表面に接合されており、非接合部分２３とトップシート１１表面との間に陰茎挿入空間が形成されるようになっている。また、内面側シート２０の上縁２１に沿ってそのほぼ全体にわたり（中間部等、一部でも良い）細長状弾性伸縮部材２５が伸張状態で固定されている。
【００１７】
一方、内面側シート２０の上縁２１の上側には、別の内面側シートが設けられることなく、トップシート１１表面が露出されており、内面側シート２０の上縁２１とトップシート１１表面との間が、陰茎挿入空間（内面側シート２０の非接合部分２３とトップシート１１表面との間）に陰茎を挿入するための開口となる。
【００１８】
かくして構成された男性用吸収パッド１では、陰茎挿入空間に挿入された陰茎を、斜め上を向く開口から横方向（図１の例では左側）へ取り出すことができ、陰茎が内面側シート２０に引掛り難く、取り出しが容易となる。また、陰茎挿入時においても、斜め上を向く開口に対して陰茎を横方向から滑り込ませることにより容易に挿入することができる。さらに、細長状弾性伸縮部材２５の伸縮力によって、図３に示されるように、内面側シート２０の上縁２１がその延在方向に沿って収縮するとともに、その収縮によって吸収本体部１０はそのトップシート１１面が窪むように舟形に変形し、内面側シート２０とトップシート１１面との間が離間して陰茎挿入空間Ｓが形成される。よって、陰茎の出し入れがより容易になる。また、吸収本体部１０が陰茎を包み込む立体形状となり、陰茎に対するフィット性が向上するとともに、吸収パッド１の存在が衣類外面に現れ難くなる。
【００１９】
内面側シート２０の素材としては、シリコーン等により撥水加工した目付け１５〜２０ｇ／ｍ2程度の各種不織布、ポリエチレン等の液不透過性フィルム、ならびに液不透過性フィルムと不織布を貼り合わせた素材等が使用できる。液不透過性フィルムは通気性多孔質フィルムであるのが好ましいが、非通気性フィルムでも良い。
【００２０】
細長状弾性伸縮部材２５としては、糸状、ひも状、帯状に形成した天然または合成のゴムを好適に用いることができる。
【００２１】
内面側シート２０の形状は特に限定されない。例えば、図４〜図６に示すように、内面側シート２０の上縁２１の向きを、図１の形態に対して左右逆にしても良い。図７に示すような各種の形態を採用することもできる。すなわち、図７（ａ）に示すように、内面側シート２０の上縁２１は、上側の端部２１ｕが吸収本体部１０の上縁と側縁との角部に位置しても良く、また図７（ｂ）に示すように、下側の端部２１ｂが吸収本体部１０の下縁１０ｂと側縁との角部に位置しても良く、さらに図７（ｃ）に示すように、下側の端部２１ｂが吸収本体部１０の下縁１０ｂに位置しても良い。
【００２２】
また、図７（ｄ）に示すように、内面側シート２０の上縁２１より下側の部分において、トップシート１１表面の全体が内面側シート２０により被覆されず、一部１１ｅが露出していても良い。また、図７（ｅ）に示すように、内面側シート２０の上縁２１は曲線状であっても良く、図示しないが中間部で屈曲する屈曲線状であっても良い。
【００２３】
他方、本発明に係る男性用吸収パッドは、例えば次のようにしてライン製造することができる。すなわち、予め液不透過性シート１４、吸収体１３、トップシート１１等を積層し、所定形状にカットして吸収本体部１０を製造（図示せず）した後、この吸収本体部１０を、図８（ａ）に示すように長手方向１０ＬがＭＤ方向（移送方向）に対して傾斜するようにライン上に順次供給して搬送し、このライン上を搬送される斜め配置の吸収本体部１０に対して、帯状の内面側シート２０をその長手方向２０ＬがＭＤ方向に沿うように連続的に供給して固定し、しかる後、連続する内面側シート２０をＭＤ方向に所定の間隔で余分な部分を含めてカットすることにより、個別化された男性用吸収パッドを製造することができる。
【００２４】
この場合において、図８（ｂ）に示すように、１本のラインに対して２つの吸収本体部１０，１０を位相をずらしてＣＤ方向（ＭＤ方向と直交する方向）に並置し、かつ２つの吸収本体部１０，１０が点対称をなすように近接させることにより、より狭いライン幅で二丁取りが可能となる。
【産業上の利用可能性】
【００２５】
本発明は、男性用吸収パッドに適用されるものである。
【図面の簡単な説明】
【００２６】
【図１】本発明に係る男性用吸収パッドの展開状態の平面図である。
【図２】図１の２−２断面の概略図である。
【図３】斜視図である。
【図４】他の例の展開状態の平面図である。
【図５】別の例の展開状態の平面図である。
【図６】さらにまた別の例の展開状態の平面図である。
【図７】内面側シートの各種形態を示す平面概略図である。
【図８】製造方法の概略図である。
【符号の説明】
【００２７】
１…男性用吸収パッド、１０…吸収本体部、１１…トップシート、１２…中間シート、１３…吸収体、１４…液不透過性シート、１５…外装シート、２０…内面側シート、２１…上縁。
【図１】
2008067896.tif 000003
【図２】
2008067896.tif 000004
【図３】
2008067896.tif 000005
【図４】
2008067896.tif 000006
【図５】
2008067896.tif 000007
【図６】
2008067896.tif 000008
【図７】
2008067896.tif 000009
【図８】
2008067896.tif 000010